(57)【要約】【課題】受信のための最適な方位を示し得る時刻データ受信装置を実現する。【解決手段】時刻修正の際、検出された電波の強度が以前の時刻修正時に検出された電波強度のうち最大か否かを判別し、最大であった場合に、この最大電波強度とこの最大電波強度が得られたときに検出された方位とを対応づけて記憶手段２２３に記憶させ、最大電波強度と判別された電波強度に対応する方位を記憶手段２２３から読み出して表示するようにした。【選択図】図２
2005274446.tif 000002
【特許請求の範囲】
【請求項１】
現在時刻情報を計数する時刻計数手段と、
自装置の特定の位置が向いている方位を検出する方位検出手段と、
この方位検出手段が検出した方位を表示させる検出方位表示制御手段と、
時刻データを含む電波を受信するアンテナと、
このアンテナで受信した電波の強度を検出する強度検出手段と、
前記アンテナで受信した電波から時刻データを抽出して、この時刻データに基づいて前記時刻計数手段が計数している現在時刻情報を修正する修正手段と、
電波強度及び方位を記憶する記憶手段と、
前記修正手段による時刻修正時に前記強度検出手段により検出された電波の強度が、以前の時刻修正時に検出された電波強度のうち最大か否かを判別し、最大であった場合に、この最大電波強度とこの最大電波強度が得られたときに前記方位検出手段により検出された方位とを対応づけて前記記憶手段に記憶させる記憶制御手段と、
この記憶制御手段によって最大電波強度と判別された電波強度に対応する方位を前記記憶手段から読み出して表示させる最適方位表示制御手段と、
を備えることを特徴とする時刻データ受信装置。
【請求項２】
複数の場所から一の場所を選択指定する場所選択指定手段を更に備え、
前記記憶手段は、前記複数の場所夫々についての最大電波強度と方位とを記憶する手段であり、
前記記憶制御手段は、新たに検出された電波強度と前記一の場所に対応づけて前記記憶手段に記憶されている最大電波強度とを比較して、新たに検出された電波強度の方が強い場合に、前記記憶手段に、今まで記憶されていた前記一の場所に対応する電波強度及び方位に代えて新たに検出された電波強度及び方位を記憶させる手段である、
ことを特徴とする請求項１に記載の時刻データ受信装置。
【請求項３】
前記記憶手段は、複数の時間帯夫々に対応して最大電波強度と方位とを記憶する手段であり、
前記制御手段は、新たに検出された電波強度と現在の時間帯に対応して記憶されている電波強度と比較して、新たに検出された電波強度の方が強い場合に、前記記憶手段に、今まで記憶されていた電波強度及び方位に代えて新たに検出された電波強度及び方位を記憶させる手段である、
ことを特徴とする請求項１に記載の時刻データ受信装置。
【請求項４】
更に、前記自装置の特定の位置が、前記最大強度に対応する方位に、向いているか否かを明示する手段を備えた、
ことを特徴とする請求項１〜３の何れか一項に記載の時刻データ受信装置。
【請求項５】
自装置の特定の位置が向いている方位を検出する方位検出手段と、時刻データを含む電波を受信するアンテナと、記憶手段と、コンピュータとを備えた装置の前記コンピュータに、
現在時刻情報を計数させる時刻計数機能と、
前記方位検出手段が検出した方位を表示させる制御を行う検出方位表示制御機能と、
前記アンテナで受信された電波の強度を検出させる強度検出機能と、
前記アンテナで受信された電波から時刻データを抽出し、抽出した時刻データに基づいて前記時刻計数機能によって計数されている現在時刻情報を修正させる修正機能と、
前記修正機能による時刻修正時に前記強度検出機能により検出された電波の強度が、以前の時刻修正時に検出された電波強度のうち最大か否かを判別し、最大であった場合に、この最大電波強度とこの最大電波強度が得られたときに前記方位検出手段により検出された方位とを対応づけて前記記憶手段に記憶させる記憶制御機能と、
この記憶制御機能によって最大電波強度と判別された電波強度に対応する方位を前記記憶手段から読み出して表示させる制御を行う最適方位表示制御機能と、
を実現させるためのプログラム。
【発明の詳細な説明】
【技術分野】
【０００１】
本発明は時刻データ受信装置及びプログラムに関し、例えば腕装着型の電波時計に適用して好適なものである。
【背景技術】
【０００２】
現在我が国（日本）では、時刻データ即ちタイムコード入りの４０ｋＨｚ及び６０ｋＨｚの標準電波が、２つの送信所（福島県及び佐賀県）より送出されている。近年では、このようなタイムコード入り標準電波を受信して、これにより時刻計数回路の時刻データを修正する、いわゆる電波時計が実用化されている。電波時計は、内蔵しているアンテナを介して標準電波を受信し、増幅変調してタイムコードを解読することにより、現在時刻を修正している。
【０００３】
ところでこの種の電波時計においては一般に、アンテナの向きにより受信感度が大きく異なる。そこで、かかる指向性の問題の解消のため、２つの直交するアンテナを設け、信号レベルが所定以上のアンテナを選択して、選択したアンテナで受信した標準電波から時刻情報を得て時刻修正するようにしたものが提案されている（例えば、特許文献１参照）。
【特許文献１】特開２００１−３２４５８３号公報
【発明の開示】
【発明が解決しようとする課題】
【０００４】
しかしながら、かかる構成の電波時計においてはアンテナが正確に送信局を向くことが保証されるわけでもないため、いまだ受信効率が悪く、また、課題解決の代償としてアンテナを２本必要とするなどの問題があった。
本発明は以上の点を考慮してなされたもので、受信のための最適な方位を示し得る時刻データ受信装置を実現することを目的としている。
【課題を解決するための手段】
【０００５】
かかる課題を解決するため請求項１に記載の時刻データ受信装置（例えば、図１の電波時計１）においては、
現在時刻情報を計数する時刻計数手段（例えば、図２の計時回路部２５）と、
自装置の特定の位置が向いている方位（例えば、図１の１２時方向Ｘ）を検出する方位検出手段（例えば、図２の方位検出部２３）と、
この方位検出手段が検出した方位を表示させる検出方位表示制御手段（例えば、図２のＣＰＵ２０；図５のステップＳ５８）と、
時刻データを含む電波を受信するアンテナ（例えば、図１のバーアンテナ１１）と、
このアンテナで受信した電波の強度を検出する強度検出手段（例えば、図２の受信回路部２６）と、
前記アンテナで受信した電波から時刻データを抽出して、この時刻データに基づいて前記時刻計数手段が計数している現在時刻情報を修正する修正手段（例えば、図２のＣＰＵ２０；図４のステップＳ６〜Ｓ１４）と、
電波強度及び方位を記憶する記憶手段（例えば、図２の強度記憶部２２３）と、
前記修正手段による時刻修正時に前記強度検出手段により検出された電波の強度が、以前の時刻修正時に検出された電波強度のうち最大か否かを判別し、最大であった場合に、この最大電波強度とこの最大電波強度が得られたときに前記方位検出手段により検出された方位とを対応づけて前記記憶手段に記憶させる記憶制御手段（例えば、図２のＣＰＵ２０；図４のステップＳ２０〜Ｓ２２）と、
この記憶制御手段によって最大電波強度と判別された電波強度に対応する方位を前記記憶手段から読み出して表示させる最適方位表示制御手段（例えば、図２のＣＰＵ２０；図４のステップＳ２６、図５のステップＳ５５）と、
を備えることを特徴としている。
【０００６】
また、請求項５に記載のプログラム（例えば、図２の時刻修正処理プログラム２１１）においては、
自装置の特定の位置が向いている方位を検出する方位検出手段（例えば、図２の方位検出部２３）と、時刻データを含む電波を受信するアンテナ（例えば、図１のバーアンテナ１１）と、記憶手段（例えば、図２の強度記憶部２２３）と、コンピュータ（例えば、図２のＣＰＵ２０）とを備えた装置（例えば、図１の電波時計１）の前記コンピュータに、
現在時刻情報を計数させる時刻計数機能と、
前記方位検出手段が検出した方位を表示させる制御を行う検出方位表示制御機能（例えば、図５のステップＳ５８）と、
前記アンテナで受信された電波の強度を検出させる強度検出機能（例えば、図４のステップＳ８）と、
前記アンテナで受信された電波から時刻データを抽出し、抽出した時刻データに基づいて前記時刻計数機能によって計数されている現在時刻情報を修正させる修正機能（例えば、図４のステップＳ６〜Ｓ１４）と、
前記修正機能による時刻修正時に前記強度検出機能により検出された電波の強度が、以前の時刻修正時に検出された電波強度のうち最大か否かを判別し、最大であった場合に、この最大電波強度とこの最大電波強度が得られたときに前記方位検出手段により検出された方位とを対応づけて前記記憶手段に記憶させる記憶制御機能（例えば、図４のステップＳ２０〜Ｓ２２）と、
この記憶制御機能によって最大電波強度と判別された電波強度に対応する方位を前記記憶手段から読み出して表示させる制御を行う最適方位表示制御機能（例えば、図４のステップＳ２６、図５のステップＳ５５）と、
を実現させるようにした。
【０００７】
従って、この請求項１に記載の時刻データ受信装置及び請求項５に記載のプログラムによれば、以前計測された電界強度のうちで最も大きい強度を示した際の方位、及びその強度を使用者に示し得る。
【０００８】
また、請求項２に記載の時刻データ受信装置は、請求項１に記載の時刻データ受信装置において、
複数の場所から一の場所を選択指定する場所選択指定手段（例えば、図２の場所選択スイッチ１５２）を更に備え、
前記記憶手段は、前記複数の場所夫々についての最大電波強度と方位とを記憶する手段（例えば、図３の強度記憶部２２３）であり、
前記記憶制御手段は、新たに検出された電波強度と前記一の場所に対応づけて前記記憶手段に記憶されている最大電波強度とを比較して、新たに検出された電波強度の方が強い場合に、前記記憶手段に、今まで記憶されていた前記一の場所に対応する電波強度及び方位に代えて新たに検出された電波強度及び方位を記憶させる手段（例えば、図２のＣＰＵ２０；図４のステップＳ１８〜Ｓ２２）である、
ことを特徴としている。
【０００９】
従って、この請求項２に記載の時刻データ受信装置によれば、以前計測された電界強度のうちで最も大きい強度を示した際の方位、及びその強度を、複数の場所夫々に対応させて使用者に示し得る。よって、例えば、使用者は、リビングルームや寝室といった住居内の複数の場所毎、あるいは自宅や会社といった様々な場所毎に使い分けて、以前計測された電界強度のうちで最も大きい強度を示した際の方位、及びその強度を知ることができる。
【００１０】
また、請求項３に記載の時刻データ受信装置は、請求項１に記載の時刻データ受信装置において、
前記記憶手段は、複数の時間帯夫々に対応して最大電波強度と方位とを記憶する手段であり（例えば、図６の記憶部）、
前記制御手段は、新たに検出された電波強度と現在の時間帯に対応して記憶されている電波強度と比較して、新たに検出された電波強度の方が強い場合に、前記記憶手段に、今まで記憶されていた電波強度及び方位に代えて新たに検出された電波強度及び方位を記憶させる手段である、
ことを特徴としている。
【００１１】
従って、この請求項３に記載の時刻データ受信装置によれば、以前計測された電界強度のうちで最も大きい強度を示した際の方位、及びその強度を、複数の時間帯夫々に対応させて使用者に示し得る。この場合、同一場所における時間帯による電波方位の変化にも厳密に対処できるため、例えば時間帯によって振る舞いの異なる電離層の影響等による電波方位の変化をも考慮した、より正確な最適方位を使用者に示し得る電波時計を実現しうる。
【００１２】
また、請求項４に記載の時刻データ受信装置は、請求項１〜３のいずれかに記載の時刻データ受信装置において、
更に、前記自装置の特定の位置が、前記最大強度に対応する方位に、向いているか否かを明示する明示手段（例えば、図２のＣＰＵ２０；図５のステップＳ５９、Ｓ６０）を備えた、
ことを特徴としている。
【００１３】
従って、この請求項４に記載の時刻データ受信装置によれば、時刻データ受信装置が、最適方位に向いているかを簡単に知ることができる。
【発明の効果】
【００１４】
本発明によれば、受信のために最適な方位を使用者に示し得る時刻データ受信装置を実現できる。
【発明を実施するための最良の形態】
【００１５】
以下、図面を参照して本発明を実施するための最良の実施の形態について詳細に説明する。本実施の形態では、本発明を腕装着型の電波時計に適用した場合について説明するが、本発明が適用可能な形態がこれに限定されるものではない。
【００１６】
図１（ａ）及び（ｂ）は本実施の形態における腕装着型の電波時計１の概略正面図であり、電波時計１は、時計モジュール１０と、細長いコアにその長手方向に沿ってコイルが巻回されたバーアンテナ１１と、それら時計モジュール１０及びバーアンテナ１１を内部に収納するケース体としてのケース１２と、時計モジュール１０を保護すべくケース１２に嵌めて設けられた透明な樹脂又はガラスでなるカバーガラスと、電波時計１を腕に装着するためケース１２の１２時方向及び６時方向（本実施の形態における電波時計１はアナログ時計ではないが、簡明のため１２時方向及び６時方向と呼ぶことにする。）の端部それぞれに取り付けられたバンド１４と、１個以上の押下式スイッチ群でなるスイッチ部１５とを備えて構成されている。
【００１７】
時計モジュール１０のカバーガラス側には、日付や現在時刻等を液晶の点灯により表示する表示盤面１６が設けられている。
【００１８】
表示盤面１６には、日付を表示する日付表示部１８１、後述する時刻修正処理に係る場所コードを表示する場所コード表示部１８２、最適方位を表示する最適方位表示部１８３、及び時刻の他様々な情報を表示する時刻表示部１８４等で構成される情報表示部１８と、当該情報表示部１８の周縁に例えば６０個の液晶表示体（１９００、１９０１、・・・、１９５９）を円環状に配置させてなる周縁表示部１９とが設けられている。電波時計１は通常、時刻表示部１８４に現在時刻を表示し単に時計として機能する現在時刻表示モード（図１（ａ））で稼動しているが、その他にも後述する方位測定モード（図１（ｂ））等、情報表示部１８に表示する情報内容の異なる複数の稼動状態に設定し得るように構成されている。なお、バーアンテナ１１の長手方向に対して直角方向に送信所があるとき、即ち、電波時計の１２時が送信所に向いているとき、受信感度が最も良くなり、その方位が最適方位となる。
【００１９】
図１（ｂ）は、後述するスイッチ処理を経て方位測定機能を提供する状態（以下、方位測定モードと呼ぶ。）となった電波時計１を表している。この方位測定モードにおいて、情報表示部１８は時刻表示部１８４に、現在時刻に代え、そのときの電波時計１の１２時方向Ｘの示す方位角度（現在方位）を例えば６０分法で表示し、さらに当該方位角度に基づき４方位（北、西、南及び東）を周縁表示部１９上に、方位グラフィック（１９ｎ、１９ｗ、１９ｓ及び１９ｅ）として表示するようになされている。なお、本実施の形態においては、方位グラフィックの例として、図に示すように北を表す位置にある液晶表示体３個、他の３方位を表す位置にある液晶表示体それぞれ１個を点灯させるようにしたことにより、一層正確な視認が可能なようになされている。
【００２０】
スイッチ部１５（図１（ａ）及び図１（ｂ））には、時刻修正機能を手動で実行（起動）するための電波受信スイッチ１５１と、場所コードを選択設定するための場所選択スイッチ１５２と、電波時計１を方位測定モードに状態移行し方位を測定する方位測定スイッチ１５３とがある。
【００２１】
図２は本実施の形態における電波時計１の内部構成を示すブロック図を示し、制御部（コンピュータ）としてのＣＰＵ（Central Processing Unit ）２０にＲＯＭ（Read Only Memory）２１、ＲＡＭ（Random Access Memory）２２、方位検出部２３、入力部２４、計時回路部２５、受信回路部２６及び表示部２７が接続されて構成されている。
【００２２】
ＣＰＵ２０は、所定のタイミング或いは入力部２４から入力された操作信号に応じて、ＲＯＭ２１内に格納された各種プログラムを読み出してＲＡＭ２２内に展開し、当該プログラムに基づいて各機能部への指示やデータの転送等を行う。特にＣＰＵ２０は、例えば所定時刻になると受信回路部２６を制御して標準電波の受信処理を実行し、計時回路部２５で計数される現在時刻データを修正するとともに、当該修正された現在時刻データに基づいて表示時刻を更新する等の各種制御を行う。
【００２３】
ＲＯＭ２１は、各種初期設定値や初期プログラムの他、電波時計１が有する各機能を実現するためのプログラムやデータ等を格納するための領域であり、特に、本実施の形態を実現するためのプログラムとして、時刻修正処理プログラム２１１及びスイッチ処理プログラム２１２が格納される。
【００２４】
ＲＡＭ２２は、ＣＰＵ２０により実行される各種プログラムや、これらのプログラムの実行に係るデータ等を保持するためのデータ格納領域であり、特に、本実施の形態を実現する目的で、方位検出部２３で検出された方位を保持する現在方位記憶部２２１、受信回路部２６で受信した電波の電界強度を保持する現在強度記憶部２２２、現在電波時計１に設定されている場所コードを保持する指定場所コード記憶部２２４、及び強度記憶部２２３を備えている。
【００２５】
ここで、上記のＲＡＭ２２に格納される強度記憶部２２３は図３に示すように、最適方位２２３２及び電波強度２２３３の組（以下、レコードと呼ぶことにする。）複数（以下、レコード群と呼ぶことにする。）が場所コードに対応付けられて管理される記憶領域となっている。以下の説明において、１つの場所コードに対応するレコードを、その場所コードで特定されるレコードと呼ぶことにする。
【００２６】
表示部２７は、情報表示部１８、及び周縁表示部１９等を備え、ＣＰＵ２０から送られたデータ、例えば現在時刻データ及び日付データの他、ＣＰＵ２０による処理結果等の各種情報等を表示する。
【００２７】
受信回路部２６は、バーアンテナ１１で受信した標準電波の不要な周波数成分をカットして該当する周波数信号を取り出し、この周波数信号を検波し、標準時刻コード、積算日コード及び曜日コード等の時刻修正機能に必要なデータを抽出して、ＣＰＵ２０に出力する。
【００２８】
方位検出部２３は、磁気検出方向が互いに直交する２つの磁気検出素子（図示せず。）を備え、それぞれから検出される磁力成分に基づいて地磁気の示す正北方（正北の方向のこと。）を算出し得るようになされている。この場合、図１に示す電波時計１の１２時方向Ｘを基準として正北方が１２時方向Ｘとなす角度を算出することで１２時方向Ｘの方位（現在方位）を求め、これをＣＰＵ２０に出力する。
【００２９】
計時回路部２５は、発振回路２５１、分周回路２５２及び計時計数回路２５３を備え、時計としての主たる機能である計時を行う回路群である。
発振回路２５１は、例えば水晶発振器等にて構成され、常時一定周波数のクロック信号を分周回路２５２へ出力する回路である。分周回路２５２は、発振回路２５１から入力されるクロック信号を計数して、計数値が１分に対応する値になる度に、１分信号を計時計数回路２５３へ出力する回路である。計時計数回路２５３は、分周回路２５２から入力される１分信号に基づいて、当該日の日付や現在の時分秒等の現在時刻データを計数する回路である。これにより、計時回路部２５は現在の年月日時分秒の日付時刻を計時し得、この日付時刻データをＣＰＵ２０に出力するようになされている。また、時刻修正処理として後述するように、この計時計数回路２５３において計数される現在時刻データを、ＣＰＵ２０が標準タイムコードに基づいて適宜修正する。
【００３０】
入力部２４は、電波時計１に各種機能を実行させるための押下式スイッチ群であり、時刻修正処理を任意に手動実行させる電波受信スイッチ１５１、場所コードの選択設定を行うための状態（以下、場所選択モードと呼ぶ。）にする場所選択スイッチ１５２、及び電波時計１の方位を測定させる方位測定スイッチ１５３を備えている。
【００３１】
この入力部２４において電波受信スイッチ１５１が押下されると、当該押下を認識したＣＰＵ２０は、受信回路部２６を制御して標準電波の受信処理を実行し、計時回路部２５の計時計数回路２５３で計数される現在時刻データを修正するとともに、当該修正された現在時刻データに基づいて表示部２７を制御し情報表示部１８の時刻表示部１８４（図１）に表示された現在時刻を更新する。
【００３２】
また、この入力部２４において場所選択スイッチ１５２が押下されると、当該押下を認識したＣＰＵ２０は、電波時計１の動作状態を場所選択モードへ移行する。このときＣＰＵ２０は表示部２７を制御して、例えば情報表示部１８の場所コード表示部１８２（図１）を点滅表示させ、電波時計１が場所選択モードとなったことを明示するようになされている。この場所選択モードにおいては、更に場所選択スイッチ１５２が押下されることにより、場所コードとして表示している数値が所定の定義域内でサイクリックに増加するようになされている。例えば本実施の形態においては、場所コード表示が「０」である状態から順次場所選択スイッチ１５２が押下されて「１」、「２」、・・・と「９」まで増加させると、更なる場所選択スイッチ１５２押下によって場所コード表示は「０」に戻るようになされている。そうして所望の場所コードが選択され、情報表示部１８の場所コード表示部１８２に新たに選択された場所コードを表示し、また、ＲＡＭ２２上の指定場所コード記憶部２２４に当該選択された場所コードが書き込まれる。これに続けて更にＣＰＵ２０は、ＲＡＭ２２上の強度記憶部２２３にアクセスし、選択された場所コードに対応して記憶されている（選択された場所コードで特定される）レコードから電波強度を読み出し、表示部２７を制御して情報表示部の時刻表示部１８４に当該読み出した電波強度の数値を、一時的な所定期間（例えば５秒間）にわたって、時刻表示に代えて表示するようになされている。
【００３３】
ところで上記の場所選択モードにおいて場所コード「０」が選択設定されると、ＲＡＭ２２上の指定場所コード記憶部２２４に「０」が記憶されている状態となる。本実施の形態においては、そのように場所コードとして「０」が設定されている場合、電波時計１の種々の内部処理において場所コードの設定がされていないものとして扱われ、場所コードを用いる諸機能がオフ設定された状態となるようになされている。このように電波時計１は、場所コードを用いる諸機能をオフに設定する手段を使用者に提供するようになされている。
【００３４】
また、この入力部２４において方位測定スイッチ１５３が押下されると、当該押下を認識したＣＰＵ２０は、まず表示部２７を制御して方位測定モードの表示とし、次いで方位検出部２３を制御して方位検出を行い、これにより得られた地磁気の示す正北方を用いて、電波時計１の１２時方向の方位（現在方位）と、４方位から北を除く西、南及び東の方向とを算出する。次いでＣＰＵ２０は、こうして算出した電波時計１の現在方位を情報表示部１８の時刻表示部１８４に表示し、さらに、周縁表示部１９には４方位（北、西、南及び東）それぞれに対応する方位グラフィックを表示する。
例えば、方位検出部２３において正北方が東１２０°の方向に検出されると、これより電波時計１の１２時方向が正北方より西に１２０°（東に２４０°）を向いていることが算出される。そして、図１（ｂ）に示すように、情報表示部１８の時刻表示部１８４は「２４０°」と表示し、周縁表示部１９は４方位（北、西、南及び東）それぞれに対応する液晶表示体を点灯させ、方位グラフィック１９ｎ、１９ｗ、１９ｓ及び１９ｅを表示する。なお、この例においては、東回りを正方向とする０°以上３６０°未満の整数角度で現在方位を表示している。
【００３５】
次に、上記のように構成される電波時計１の全体処理動作を、図４及び図５に示すフローチャートを用いて詳細に説明する。
【００３６】
ＣＰＵ２０は、電波時計１の電源が投入された際、ＲＯＭ２１に予め記憶されている時刻修正処理プログラム２１１及びスイッチ処理プログラム２１２を読み出し、ＲＡＭ２２に展開し、時刻修正処理プログラム２１１を実行することにより本実施の形態に係る時刻修正処理を開始し、また当該時刻修正処理の必要に応じてスイッチ処理プログラム２１２を実行することにより、時刻修正処理に従属するスイッチ処理を行うようになされており、以降電波時計１の電源切断までの間、当該時刻修正処理及びスイッチ処理として図４及び図５に示す処理を常駐的に実行している。
【００３７】
図４に示すように、本実施の形態に係る時刻修正処理において、まずＣＰＵ２０は、計時回路部２５の計時計数回路２５３から入力される現在時刻によって午前３時であるか否かを判別し（ステップＳ２）、午前３時であれば（ステップＳ２：Ｙｅｓ）ステップＳ４へ移行し、電波受信処理（ステップＳ４〜Ｓ２２）を開始する。一方、午前３時でなければ（ステップＳ２：Ｎｏ）ステップＳ２４へ移行する。
【００３８】
午前３時である場合（ステップＳ２：Ｙｅｓ）ＣＰＵ２０は、方位検出部２３を制御することにより電波時計１の方位検出を行い（ステップＳ４）、この方位検出において検出された１２時方向の方位をＲＡＭ２２上の現在方位記憶部２２１に現在方位として記憶する。
【００３９】
次いでＣＰＵ２０は、受信回路部２６を制御することにより、標準電波の受信を開始し（ステップＳ６）、電波強度を検出して（ステップＳ８）ＲＡＭ２２上の現在強度記憶部２２２に現在強度として記憶するとともに、時刻データの復調を行う（ステップＳ１０）。
【００４０】
ここで、受信回路部２６によるこれらステップＳ６〜Ｓ１０の処理に失敗している場合（ステップＳ１２：Ｎｏ）、ＣＰＵ２０は、この一連の電波受信処理（ステップＳ４〜Ｓ２２）を終了し、ステップＳ２４へ移行する。一方、受信回路部２６によるステップＳ６〜１０の処理が成功している場合（ステップＳ１２：Ｙｅｓ）、ＣＰＵ２０は、ステップＳ１０にて復調した時刻データに従って、計時回路部２５の計時計数回路２５３において計数されている現在時刻データを修正する（ステップＳ１４）。
【００４１】
次いでＣＰＵ２０は、ＲＡＭ２２の指定場所コード記憶部２２４から指定場所コードを読み出し、これが０以外の値であるか否かを判別する（ステップＳ１６）。
【００４２】
ＲＡＭ２２から読み出した指定場所コードが０以外の値である場合（ステップＳ１６：Ｙｅｓ）、ＣＰＵ２０は、ＲＡＭ２２上の強度記憶部２２３にアクセスし、そこに記憶されているレコード群の中から場所コード２２３１（図３）が上記の指定場所コードと一致するものを特定し、当該特定されたレコードの最適方位２２３２及び電波強度２２３３を読み出す（ステップＳ１８）。なお、以下の説明において、この特定されたレコードの最適方位２２３２及び電波強度２２３３を従来最強時方位及び従来強度と呼ぶことにする。
【００４３】
次いでＣＰＵ２０は、ＲＡＭ２２上の現在強度記憶部２２２に記憶されている現在強度と、ステップＳ１８で得られた従来強度とを比較することにより、現在強度が以前（現在を含む）に得られた電波強度のうちで最大であるか否かを判別する（ステップＳ２０）。
【００４４】
現在強度が以前に得られた電波強度として最大であると判別された場合（ステップＳ２０：Ｙｅｓ）、ＣＰＵ２０は、ＲＡＭ２２上の強度記憶部２２３にアクセスし、ステップＳ１６において特定されたレコードにおける最適方位２２３２及び電波強度２２３３を、現在方位及び現在強度で書き換える（ステップＳ２２）。そして、この一連の電波受信処理（ステップＳ４〜Ｓ２２）を終えステップＳ２４に移行する。
【００４５】
一方、ステップＳ２０において、現在強度が以前（その時点を含む）に得られた電波強度として最大であると判別されなかった場合（ステップＳ２０：Ｎｏ）、ＣＰＵ２０は、この一連の電波受信処理（ステップＳ４〜Ｓ２２）を終えステップＳ２４に移行する。
【００４６】
また、ステップＳ１６において、ＲＡＭ２２の指定場所コード記憶部２２４から読み出した指定場所コードが０である場合（ステップＳ１６：Ｎｏ）、ＣＰＵ２０は、この一連の電波受信処理（ステップＳ４〜Ｓ２２）を終えステップＳ２４に移行する。
【００４７】
ステップＳ２４に移行するとＣＰＵ２０は、スイッチ処理（図５）として後に詳述する所定の処理を実行し（ステップＳ２４）、表示処理に移行する（ステップＳ２６）。この表示処理においてＣＰＵ２０は、ＲＡＭ２２の指定場所コード記憶部２２４から指定場所コードと、強度記憶部２２３から当該指定場所コードで特定されるレコードにおける最適方位２２３２とを読み出し、それぞれ表示部２７の場所コード表示部１８２と最適方位表示部１８３とに表示する。またＣＰＵ２０は、計時回路部２５の計時計数回路２５３から現在時刻及び日付を得て、それぞれ表示部２７の時刻表示部１８４及び日付表示部１８１に表示する。これに加え、ステップＳ１４における時刻修正があった場合ＣＰＵ２０は、表示部２７を制御して周縁表示部１９の液晶表示体全体（１９００、１９０１、・・・、１９５９）を所定期間（例えば１０秒間）点灯させる等して、時刻の修正があったことを使用者が容易に感知し得るようになされている。
【００４８】
この表示処理（ステップＳ２６）までが終わると、ＣＰＵ２０はステップＳ２に戻り、以降、上述のステップＳ２〜Ｓ２６の処理を繰り返す。このように本実施の形態におけるＣＰＵ２０は、午前３時に一連の電波受信処理（ステップＳ４〜Ｓ２２）を実行する以外の状態においては、スイッチ処理と表示処理とを繰り返し、スイッチボタンの押下を監視するような状態で待ち受けているといえる。
【００４９】
ここで、上記の時刻修正処理中のスイッチ処理（ステップＳ２４）について、図５を用いて以下に詳述する。
【００５０】
図５に示すように、当スイッチ処理において電波時計１のＣＰＵ２０はまず、押下されたスイッチが電波受信スイッチ１５１であるか否かを判別する（ステップＳ５１）。
【００５１】
押下されたスイッチが電波受信スイッチ１５１である場合（ステップＳ５１：Ｙｅｓ）、ＣＰＵ２０は、ステップＳ５２の電波受信処理に移行し、先の時刻修正処理（図４）における一連の電波受信処理（ステップＳ４〜Ｓ２２）と同じ内容の処理を行い（重ねての説明となるため割愛する。）、時刻修正処理（図４）に戻りステップＳ２６以降を実行する（ステップＳ５２）。
【００５２】
一方、押下されたスイッチが電波受信スイッチ１５１でないと判別した場合（ステップＳ５１：Ｎｏ）、ＣＰＵ２０は、押下されたスイッチが場所選択スイッチ１５２であるか否かを判別する（ステップＳ５３）。
【００５３】
押下されたスイッチが場所選択スイッチ１５２である場合（ステップＳ５３：Ｙｅｓ）、ＣＰＵ２０は電波時計１の動作状態を場所選択モードへ移行させる。すなわちＣＰＵ２０は、表示部２７を制御して場所コード表示部１８２を点滅表示させ、更なる場所選択スイッチ１５２押下を受けて場所コード表示部１８２の表示を「０」から「１」、「２」、・・・、「９」、「０」、「１」、「２」、・・・、「９」、「０」、「１」、「２」、・・・と、サイクリックに変化させる状態を実現し、使用者に指定場所コードを選択させる。そしてＣＰＵ２０は、所定の決定操作（例えば場所選択スイッチ１５２以外のスイッチの押下や、所定期間（たとえば５秒間）の無操作状態の継続）によって指定場所コードが選択されたのを受け、ＲＡＭ２２上の指定場所コード記憶部２２４に当該新たに選択された場所コードを（それまで記憶されていた場所コードに代え）記憶する（ステップＳ５４）。
【００５４】
次いでＣＰＵ２０は、ＲＡＭ２２上の強度記憶部２２３にアクセスし、そこに記憶されているレコード群の中から、ステップＳ５４において新たに選択された場所コードに対応するレコードを特定し、当該特定されたレコードの最適方位２２３２を読み出し、これを表示部２７の最適方位表示部１８３に表示し、時刻修正処理（図４）に戻りステップＳ２６以降を実行する（ステップＳ５５）。
【００５５】
一方、押下されたスイッチが場所選択スイッチ１５２でないと判別した場合（ステップＳ５３：Ｎｏ）、ＣＰＵ２０は、押下されたスイッチが方位測定スイッチ１５３であるか否かを判別する（ステップＳ５６）。
【００５６】
押下されたスイッチが方位測定スイッチ１５３である場合（ステップＳ５６：Ｙｅｓ）、ＣＰＵ２０はまず、表示部２７を制御して方位測定モードの表示に変える（図１（ｂ））。そしてＣＰＵ２０は、方位検出部２３を制御することにより電波時計１の方位検出を行い、検出された方位をＲＡＭ２２上の現在方位記憶部２２１に現在方位として記憶する（ステップＳ５７）。
【００５７】
次いでＣＰＵ２０は、表示部２７を制御して、ステップＳ５７において検出された現在方位を（例えば６０分法の）数値で時刻表示部１８４に表示し、さらに、周縁表示部１９には現在方位に基づく４方位を表す方位グラフィックを表示する。
次いでＣＰＵ２０は、ステップＳ５７において電波時計１が最適な方位に向いているか否かを、即ち、検出された現在方位と特定されたレコードの最適方位との差が所定の角度以内かを判別し、電波時計１が最適方位に向いている場合、最適方位表示部１８３の最適方位２２３２を点滅表示し（ステップＳ５８）、時刻修正処理（図４）に戻りステップＳ２６以降を実行する。
【００５８】
一方、押下されたスイッチが方位測定スイッチ１５３でない場合（ステップＳ５６：Ｎｏ）、これはすなわち、電波受信スイッチ１５１、場所選択スイッチ１５２、及び方位測定スイッチ１５３のいづれも押下されていないことを意味し、このときＣＰＵ２０は、これらとは他のスイッチの押下に対する処理等、所定の処理を実行する。
【００５９】
以上のように、本発明の電波時計１は、標準電波受信の際、標準電波の電波強度と電波時計１の方位とを測定し、以前より電波強度の大きいものを選択的に保存するようにし、これを表示部２７に表示するようにしたことにより、時刻修正に最適な電波時計１の方位を使用者に示し得る。
【００６０】
なお上述した実施の形態においては、簡潔な例示の目的で、場所コードとして「０」〜「９」を用いるとしたが、本発明はこれに限らず、強度記憶部２２３においてより多数のレコードを管理できるようにし、表示部２７の場所コード表示部を「００」〜「９９」のようにより多数表示できるように構成した上で、より多数の場所コードを扱えるようにしてもよい。
【００６１】
また、上述した実施の形態においては、以前の最適方位及び電波強度を場所コードのみによって区別管理するようにしたが、本発明はこれに限らず、例えば図６に示すように、場所コード及び時間帯を用いてレコードを特定するよう構成された強度記憶部を用い、以前の最適方位及び電波強度を、場所コード毎の分類の上時間帯毎に分類して以前の最適方位及び電波強度を保持、及び書き換えるようにしてもよい。この場合、同一場所における時間帯による電波方位の変化にも厳密に対処できるため、例えば時間帯によって振る舞いの異なる電離層の影響等による電波方位の変化をも考慮した、より正確な最適方位を使用者に示し得る電波時計を実現しうる。
【００６２】
さらに、上述した実施の形態においては、強度記憶部に保持する最適方位及び電波強度を、使用者が電波時計１に設定した特定の場所コードについてのみ、表示部に表示するようにしたが、本発明はこれに限らず、例えば図７に示すように、最適方位の値として全場所コードについての平均を、電波強度として全場所コードについての最大値を、それぞれ保有するような、いわゆる要約レコード（図７における場所コード＝「１０」のレコード）を設けるように構成し、使用者の目に触れる表示部には当該要約レコードの情報のみを表示するようにし、全場所コードについてのレコードは内部処理にのみ用いるようにしてもよい。この場合、指定場所コードを設定する等の操作を使用者に強いることのない電波時計を実現しうる。
【図面の簡単な説明】
【００６３】
【図１】本発明を適用した時刻データ受信装置の一部省略平面図である。
【図２】電波時計１の回路構成を示すブロック図である。
【図３】電波時計１の強度記憶部の構成を示す図である。
【図４】電波時計１における時刻修正処理の処理フローを示す図である。
【図５】電波時計１におけるスイッチ処理の処理フローを示す図である。
【図６】他の実施の形態における強度記憶部の構成を示す図である。
【図７】他の実施の形態における強度記憶部の構成を示す図である。
【符号の説明】
【００６４】
１  電波時計
１１  バーアンテナ
１５２  場所選択スイッチ
１５３  方位測定スイッチ
２０  ＣＰＵ
２１１  時刻修正処理プログラム
２２３  強度記憶部
２３  方位検出部
２４  入力部
２５  計時回路部
２６  受信回路部
２７  表示部
Ｘ  １２時方向
【図１】
2005274446.tif 000003
【図２】
2005274446.tif 000004
【図３】
2005274446.tif 000005
【図４】
2005274446.tif 000006
【図５】
2005274446.tif 000007
【図６】
2005274446.tif 000008
【図７】
2005274446.tif 000009